(57)【要約】【課題】テレビ等視聴可能な移動体端末にて受信状態に応じて表示部の輝度を調整し省電力化を図る放送受信装置を提供する。【解決手段】コンテンツのデータを受信する受信部と、コンテンツのデータの受信強度を検出する電界強度検出部と、コンテンツのデータに基づいてコンテンツを表示する表示部と、表示部により表示されるコンテンツの輝度レベルを調節する輝度調節部と、電界強度検出部により検出される電界強度に応じて輝度調節部および表示部を制御する制御部とを有し、コンテンツが表示部により表示されている際に、電界強度検出部により検出される受信強度が所定の閾値を下回ったとき、制御部は輝度調節部を制御して、表示部により表示されるコンテンツの輝度レベルを下げることにより、省電力化を図ることを可能とした。【選択図】図１
2007281879.tif 000002
【特許請求の範囲】
【請求項１】
コンテンツのデータを受信する受信部と、前記コンテンツのデータの受信強度を検出する電界強度検出部と、前記コンテンツのデータに基づいてコンテンツを表示する表示部と、前記表示部により表示される前記コンテンツの輝度レベルを調節する輝度調節部と、前記電界強度検出部により検出される電界強度に応じて前記輝度調節部および前記表示部を制御する制御部とを有し、前記コンテンツが前記表示部により表示されている際に、前記電界強度検出部により検出される受信強度が所定の閾値を下回ったとき、前記制御部は前記輝度調節部を制御して、前記表示部により表示される前記コンテンツの輝度レベルを下げることを特徴とする携帯端末。
【請求項２】
前記コンテンツが前記表示部により表示されている際に、前記受信強度が前記所定の閾値を下回ったとき、前記制御部は、使用者に対して輝度レベル変更の予告を行い、前記変更の予告に対して使用者から輝度レベル変更を了承する指示があった場合に限り、前記制御部は前記輝度調節部を制御して、前記表示部により表示される前記コンテンツの輝度レベルを下げることを特徴とする請求項１に記載の携帯端末。
【請求項３】
前記コンテンツが前記表示部により表示されている際に、前記受信強度が所定の閾値を下回ったとき、前記制御部は前記表示部を制御して、前記コンテンツのデータの受信強度が所定の閾値を上回るまで、前記表示部の電源を切ることを特徴とする請求項１に記載の携帯端末。
【請求項４】
前記コンテンツが前記表示部により表示されている際に、前記受信強度が前記所定の閾値を下回ったとき、前記制御部は、使用者に対して表示部の電源を切る予告を行い、前記変更の予告に対して使用者から表示部の電源を切ることを了承する指示があった場合に限り、前記制御部は前記表示部を制御して、前記表示部の電源を切ることを特徴とする請求項３に記載の携帯端末。
【請求項５】
前記コンテンツが前記表示部により表示されている際に、前記受信強度が前記所定の閾値を下回ったとき、前記制御手段は、前記表示部を制御して、前記表示部に前記コンテンツを表示するコンテンツ画面と受信状態を表示する情報画面とに画面を分割し、前記輝度調節部を制御して、前記表示部により表示される前記コンテンツ画面の輝度レベルを下げることを特徴とする請求項１に記載の携帯端末。
【請求項６】
前記コンテンツが前記表示部により表示されている際に、前記受信強度が前記所定の閾値を下回ったとき、前記制御手段は、前記表示部を制御して、前記表示部に前記コンテンツを表示するコンテンツ画面と受信状態を表示する情報画面とに画面を分割し、前記コンテンツ画面の電源を切ることを特徴とする請求項１に記載の携帯端末。
【請求項７】
前記コンテンツが前記表示部により表示されている際に、前記受信強度が前記所定の閾値を下回っていたために前記制御部は前記輝度調節部を制御して、前記表示部により表示される前記コンテンツの輝度レベルを下げた後に、前記受信強度が再び前記所定の閾値を上回ったとき、前記制御部は前記輝度調節部を制御して、前記表示部により表示される前記コンテンツの輝度レベルを上げることを特徴とする請求項１に記載の携帯端末。
【請求項８】
前記コンテンツが前記表示部により表示されている際に、前記受信強度が前記所定の閾値を下回っていたために前記制御部は前記表示部を制御して前記表示部の電源を切った後に、前記受信強度が再び前記所定の閾値を上回ったとき、前記制御部は前記表示部を制御して前記表示部の電源を入れることを特徴とする請求項３に記載の携帯端末。
【請求項９】
前記コンテンツが前記表示部により表示されている際に、前記受信強度が前記所定の閾値を下回ったとき、前記制御部は前記輝度調節部を制御して、前記表示部により表示される前記コンテンツの輝度レベルを所定の時間間隔をおいて下げることを特徴とする請求項１に記載の携帯端末。
【請求項１０】
前記コンテンツが前記表示部により表示されている際に、前記受信強度が所定の閾値を下回ったとき、前記制御部は前記表示部を制御して前記表示部の電源を所定の時間間隔をおいて切ることを特徴とする請求項３に記載の携帯端末。
【発明の詳細な説明】
【技術分野】
【０００１】
本発明は、地上波デジタル放送等の外部コンテンツを受信可能な携帯端末に関する。
【背景技術】
【０００２】
近年、放送のデジタル化の普及が急速に進み、現在、全国で視聴されている地上波アナログ放送に代わる新しい地上波デジタル放送の準備が進んでいる。この地上波デジタル放送は、２００３年に関東、近畿、東海の３大都市圏で開始され、２００６年には全国へ拡大される計画である。これにともない、現行の地上波アナログも２０１１年には廃止される予定になっている。
【０００３】
この地上波デジタル放送では、従来の地上波アナログ放送で困難であった携帯可能な小型の端末による受信や移動時の受信が可能になる。すなわち、地上波デジタル放送は、携帯可能な小型の端末や移動時の受信に適した方式を採用しているため、一般的に、電波の伝送経路における様々な電波障害の影響を受け、ノイズ、画面の欠落、同期異常が発生し易いアナログテレビ放送に比べると、移動等による環境の変化に影響されずに安定した受信が可能となる。このため、地上波デジタル放送を受信する機能を搭載した携帯端末が実用化されるに至っている。しかしながら、地上波デジタル放送を受信する機能を搭載した携帯端末においては、消費電力が多いため、電池の消耗が激しいことが大きな課題となっている。携帯端末における省電力化においては、例えば、特許文献１に、バッテリの残量が低下すると液晶表示部のバックライトを制御して省電力化を図る手段が記載されている。
【特許文献１】特開２００３−２７４３１３号公報
【発明の開示】
【発明が解決しようとする課題】
【０００４】
地上波デジタル放送であっても、受信環境によっては、電波の受信電力が微弱であったり、ノイズの重畳が著しかったりする場合があるため、地上波デジタル放送を受信する機能を搭載した携帯端末において、特に、受信信号の強度が時間とともに変化するようなフェージングの影響が大きい環境下では、良好な映像を再生することができないこともある。また、地上波デジタル放送では、電波伝搬が複雑でマルチパス妨害や雑音妨害、現行地上波アナログからの干渉妨害を受けるため高性能な受信機が要求される。
【０００５】
このように放送受信のための必要条件が十分に満たされない悪条件において、地上波デジタル放送では、雑音による搬送波対雑音比（Carrier to Noise Ratio、以下単に「Ｃ／Ｎ比」という。）の低下や強入力の干渉妨害による所要Ｃ／Ｎ比の低下、移動受信環境の変化により正常な受信ができなくなり、急激に映像、音声が乱れ受信できない状態に陥る。
【０００６】
従来、テレビジョン受信機一体型携帯電話機において、移動受信環境下などで外部コンテンツを受信中に受信電界強度や電波の受信品質が劣化した場合、受信したノイズを含む画像をそのまま表示するか、あるいは表示機能を停止させていた。
【０００７】
受信したノイズを含む画像をそのまま表示する場合、使用者にとって不要な情報が強いられ、不快な思いをさせ、また無駄な消費電力を費やして電池の消耗を早めるという欠点があった。一方で、表示機能を停止させると、電波の受信品質の回復時に携帯電話機を操作して表示機能を起動しなければ画像を再び表示させることはできないため、電波の受信品質の劣化が回復するまで何回も携帯電話機を操作することもあり、手間がかかるという欠点があった。
【０００８】
本発明は従来の問題を解決するためになされたもので、移動受信環境下などで外部コンテンツを再生中に受信電界強度や電波の受信品質が劣化した場合であっても、使用者への不要な情報の表示を解消が可能となり、手間をかけずに消費電力を削減できる携帯端末を提供することを目的とする。
【課題を解決するための手段】
【０００９】
上記目的を達成するための本発明に係る携帯端末は、コンテンツのデータを受信する受信部と、前記コンテンツのデータの受信強度を検出する電界強度検出部と、前記コンテンツのデータに基づいてコンテンツを表示する表示部と、前記表示部により表示される前記コンテンツの輝度レベルを調節する輝度調節部と、前記電界強度検出部により検出される電界強度に応じて前記輝度調節部および前記表示部を制御する制御部とを有し、前記コンテンツが前記表示部により表示されている際に、前記電界強度検出部により検出される受信強度が所定の閾値を下回ったとき、前記制御部は前記輝度調節部を制御して、前記表示部により表示される前記コンテンツの輝度レベルを下げて消費電力を下げる構成を有している。
【００１０】
この構成により、本発明の携帯端末は、外部コンテンツを再生中、受信強度が一定以下になると、制御部によって輝度調節部の輝度レベルを調節し表示部の明るさを低下させることにより表示部での電力を抑制することが可能となる。
【００１１】
また、本発明の携帯端末は、前記コンテンツが前記表示部により表示されている際に、前記受信強度が前記所定の閾値を下回ったとき、前記制御部は、使用者に対して輝度レベル変更の予告を行い、前記変更の予告に対して使用者から輝度レベル変更を了承する指示があった場合に限り、前記制御部は前記輝度調節部を制御して、前記表示部により表示される前記コンテンツの輝度レベルを下げる構成を有しても良い。
【００１２】
この構成により、本発明の携帯端末は、受信電界強度が所定値以下になる際に、事前に表示部の制御を行うことを報知するため、突然表示部が暗くなることを防止し、外部コンテンツ視聴時に省電力モードに切り替わる際の不快感、誤操作を回避することができる。
【００１３】
また、本発明の携帯端末は、前記コンテンツが前記表示部により表示されている際に、前記受信強度が所定の閾値を下回ったとき、前記制御部は前記表示部を制御して、前記コンテンツのデータの受信強度が所定の閾値を上回るまで、前記表示部の電源を切る構成を有しても良い。
【００１４】
この構成により、本発明の携帯端末は、移動受信環境下での電界強度、電波品質の劣化により放送が受信不可に陥った場合であっても、表示部の電源を切り、省電力化が図れるため電池の消耗を抑えることが可能となる。
【００１５】
また、本発明の携帯端末は、前記コンテンツが前記表示部により表示されている際に、前記受信強度が前記所定の閾値を下回ったとき、前記制御部は、使用者に対して表示部の電源を切る予告を行い、前記変更の予告に対して使用者から表示部の電源を切ることを了承する指示があった場合に限り、前記制御部は前記表示部を制御して、前記表示部の電源を切る構成を有しても良い。
【００１６】
この構成により、本発明の携帯端末は、受信電界強度が所定値以下になる際に、事前に表示部の制御を行うことを報知するため、突然表示部が暗くなることを防止し、外部コンテンツ視聴時に省電力モードに切り替わる際の不快感、誤操作を回避することができる。
【００１７】
また、本発明の携帯端末は、前記コンテンツが前記表示部により表示されている際に、前記受信強度が前記所定の閾値を下回ったとき、前記制御手段は、前記表示部を制御して、前記表示部に前記コンテンツを表示するコンテンツ画面と受信状態を表示する情報画面とに画面を分割し、前記輝度調節部を制御して、前記表示部により表示される前記コンテンツ画面の輝度レベルを下げて消費電力を削減下げる構成を有しても良い。
【００１８】
この構成により、本発明の携帯端末は、表示したい部分のみ表示可能となり、かつ外部コンテンツが簡易表示されることで、必要な情報のみ得られたうえに表示部の電力制御による省電力化が可能となる。
【００１９】
また、本発明の携帯端末は、前記コンテンツが前記表示部により表示されている際に、前記受信強度が前記所定の閾値を下回ったとき、前記制御手段は、前記表示部を制御して、前記表示部に前記コンテンツを表示するコンテンツ画面と受信状態を表示する情報画面とに画面を分割し、前記コンテンツ画面の電源を切る構成を有しても良い。
【００２０】
この構成により、本発明の携帯端末は、表示したい部分のみ表示可能となり、かつ外部コンテンツが簡易表示されることで、必要な情報のみ得られたうえに表示部の電力制御による省電力化が可能となる。
【００２１】
また、本発明の携帯端末は、前記コンテンツが前記表示部により表示されている際に、前記受信強度が前記所定の閾値を下回っていたために前記制御部は前記輝度調節部を制御して、前記表示部により表示される前記コンテンツの輝度レベルを下げた後に、前記受信強度が再び前記所定の閾値を上回ったとき、前記制御部は前記輝度調節部を制御して、前記表示部により表示される前記コンテンツの輝度レベルを上げる構成を有しても良い。
【００２２】
この構成により、本発明の携帯端末は、受信電界強度の低下により表示部を制御し輝度レベルを低下させた状態でも外部コンテンツの受信強度が常に検出され、受信電界強度および電波の品質が改善し、外部コンテンツの視聴が可能になった場合、速やかに表示部の輝度を制御し視聴への切り替えが可能となる。
【００２３】
さらに、本発明の携帯端末は、前記コンテンツが前記表示部により表示されている際に、前記受信強度が前記所定の閾値を下回っていたために前記制御部は前記表示部を制御して前記表示部の電源を切った後に、前記受信強度が再び前記所定の閾値を上回ったとき、前記制御部は前記表示部を制御して前記表示部の電源を入れる構成を有しても良い。
【００２４】
この構成により、本発明の携帯端末は、受信電界強度の低下により表示部の電源を切った状態でも外部コンテンツの受信強度が常に検出され、受信電界強度および電波の品質が改善し、外部コンテンツの視聴が可能になった場合、速やかに表示部の電源を入れ、視聴への切り替えが可能となる。
【００２５】
さらに本発明の携帯端末は、前記コンテンツが前記表示部により表示されている際に、前記受信強度が前記所定の閾値を下回ったとき、前記制御部は前記輝度調節部を制御して、前記表示部により表示される前記コンテンツの輝度レベルを所定の時間間隔をおいて下げる構成を有しても良い。
【００２６】
この構成により、本発明の携帯端末は、外部コンテンツを再生中、受信強度が所定値以下になると、所定の時間間隔を経た後に輝度調節部の輝度レベルを調節し表示部の明るさを低下させることにより、視聴中の急な電界強度の変化により表示部が暗くなることによる視聴者への混乱、不快な思いを防ぐことができる。
【００２７】
さらに、本発明の携帯端末は、前記コンテンツが前記表示部により表示されている際に、前記受信強度が所定の閾値を下回ったとき、前記制御部は前記表示部を制御して前記表示部の電源を所定の時間間隔をおいて切る構成を有しても良い。
【００２８】
この構成により、本発明の携帯端末は、外部コンテンツを再生中、受信強度が所定値以下になると、所定の時間間隔を経た後に表示部の電源を切ることにより、視聴中の急な電界強度の変化により表示部が暗くなることによる視聴者への混乱、不快な思いを防ぐことができる。
【発明の効果】
【００２９】
本発明は、外部コンテンツを再生中、受信電界強度や電波の受信品質が劣化した場合であっても、使用者への不要な情報の表示を解消し、手間をかけずに消費電力を削減できる携帯端末を提供することができる。
【発明を実施するための最良の形態】
【００３０】
以下、本発明の実施の形態の携帯端末を図面を参照して説明する。
（第１の実施の形態）
図１は本発明の第１の実施の形態の携帯端末の外観を表す斜視図で、図２は図１に示す携帯端末の概略構成を示すブロック図である。本実施の形態では、本発明の携帯端末を携帯電話機に適応した場合を例に説明するが、本発明はこれに限定されないことは言うまでもない。本発明の携帯端末は、例えば、ＰＤＡ（Portable Digital Assistant）、無線機、モバイル型のＰＣ（Personal Computer、以下単に「ＰＣ」という。）、ノート型ＰＣ等、外部からコンテンツのデータを受信して、受信したデータに基づいてコンテンツを表示可能なものであれば、如何なる端末でも良い。
【００３１】
図１に示すように、本実施の形態の携帯端末を構成する携帯電話機１００は、上部筐体２１と下部筐体２２からなる筐体部２０と、上部筐体２１と下部筐体２２にそれぞれ設けられ、上部筐体２１と下部筐体２２を折り畳み自在に連接するヒンジ２３ａ、２３ｂからなるヒンジ部２３とを備えている。
【００３２】
上部筐体２１と下部筐体２２はそれぞれ、二つ折りに折り畳まれる際に重ね合わされて相互に内向する裏面を有しており、上部筐体２１の裏面には、液晶等で構成される表示装置３０と音声を出力する受話部３１が配設されており、下部筐体２２の裏面には、携帯電話機１００の各種機能への指示を入力する複数のスイッチから構成される操作部３４と、音声を集音する送話部３５が配設されている。この他、筺体部２０には図示しないアンテナ、カメラ撮像部、バイブレータ、各種回路部を備えた回路基板等が設けられている。
【００３３】
図２に示すように、携帯電話機１００にはテレビ受信部５０と、携帯電話部６０と、表示部７０とから構成される放送受信装置４０が備えられている。携帯電話機１００の放送受信装置４０は筐体部２０に内蔵される図示されない回路基板によって実現される。
【００３４】
テレビ受信部５０は、受信アンテナ５１と、本発明の受信部を構成するチューナー部５２と、チューナー電源検出部５３と、テレビ視聴検出部５４と、電界強度検出部５５と、タイマー部５６と、テレビ受信部５０全体の動作を制御するテレビ受信制御部５７とから構成されている。
【００３５】
受信アンテナ５１は、外部コンテンツであるテレビ等の放送信号を受信するためのアンテナである。外部コンテンツとしては、ＴＶ、ラジオ（アナログ、デジタル）放送、ｗｅｂ閲覧、オンラインゲーム等が挙げられる。チューナー部５２は、外部コンテンツを受信可能としている。
【００３６】
すなわち、チューナー部５２は、受信アンテナ５１で受信した信号を増幅、検波、復調し誤り訂正等を施しＭＰＥＧ２，Ｈ．２６４（ＭＰＥＧ４）等の信号を得るようになっている。チューナー電源検出部５３は、テレビ受信部５０がオンであるかオフであるかを検出し、テレビ受信部５０が動作中であるか否かを判断するようになっている。テレビ視聴検出部５４は、再生部である表示部７０の電源がオンであるかオフであるかを検出する機能を有している。電界強度検出部５５は、受信した外部コンテンツの受信強度、すなわち、信号レベルを検出するようになっている。タイマー部５６は、テレビ受信制御部５７が各構成要素を制御する際の基準となる時間を設定するようになっている。
【００３７】
テレビ受信部５０はさらに、あらかじめ使用者が選択したコンテンツを記憶可能な、図示されていない、記憶部を備えている。記憶部に記憶されるコンテンツとしては、ＨＤ（Hard Disk）、メモリカード等に記憶させた動画、音声、ゲームを含む各種アプリケーション等を含む。
【００３８】
テレビ受信制御部５７は、テレビ受信部５０全体の動作を制御し、各種信号を処理する手段である。テレビ受信制御部５７は、チューナー部５２で得られたトランスポートストリームから必要な番組のパケットデータを分離し、ＭＰＥＧ２，Ｈ．２６４方式等の圧縮された映像、音声データを複合し、複合された映像信号を表示部７０へ出力するようになっている。また、本実施の形態において、テレビ受信制御部５７は、コンテンツが表示部７０により表示されている際に、電界強度検出部５５にて検出された外部コンテンツの受信強度が所定の閾値を下回っているか否かを判断し、所定の閾値を下回っていると判断した場合、輝度調節部７５を制御して表示部７０の明るさを調整するようになっている。
【００３９】
携帯電話部６０は、無線基地局と携帯電話機１００との間でやりとりされる電波を送受信する携帯用アンテナ６１と、携帯用アンテナ６１で受信した電波を増幅、検波、復調し誤り訂正等を処する無線伝送部６２と、携帯用アンテナ６１で受信され、無線伝送部６２により処理された無線基地局からの情報（ストリーミング配信等も含む）に必要な処理を施し、使用者に知らせるべき情報を表示部７０に出力する携帯用制御部６３とから構成されている。
【００４０】
表示部７０はテレビ受信制御部５７により制御され、各種コンテンツを再生可能とする。表示部７０はさらに表示部７０の明るさを調節する輝度調節部７５を有している。この表示部７０は、上記の表示装置３０の他、スピーカ、イヤホンジャック等が備えられている。このようにして構成された表示装置３０を含む表示部７０は、携帯電話機１００の通話およびテレビ等の情報を表示する手段となっている。
【００４１】
次に、上記の構成を有する携帯電話機１００の動作を、図３を参照して説明する。図３は本実施の形態の携帯電話機１００の動作を説明するフロー図である。
【００４２】
最初に、携帯電話機１００を構成するテレビ受信部５０の電源が使用者の操作によりオンになると、電界強度検出部５５にて電波の状態が検出され（Ｓ１１）、テレビ受信制御部５７により、テレビ視聴が可能か否か、すなわち、テレビの放送信号の強度が所定の閾値を下回っているか否かが判断され（Ｓ１２）、テレビ視聴が可能、すなわち、テレビの放送信号の強度が所定の閾値を下回っていないと判断された場合、輝度調整が必要かを判断し（Ｓ１３）、輝度調整が必要と判断された場合は所定の輝度に調整する（Ｓ１４）。ステップＳ１２でテレビの放送信号の強度が所定の閾値を下回っていると判断された場合、テレビ受信制御部５７は輝度調節部７５を制御して表示部７０の明るさを下げる（Ｓ１６）。また、ステップＳ１２でテレビの放送信号の強度が所定の閾値を下回っていると判断され、ステップＳ１６で、表示部７０の輝度レベルを下げ、視聴不可になった期間も、ステップＳ１１に戻り、電界強度検出部５５にて電波の状態をモニターしているものとする。さらに、輝度調整が必要か否かの判断は、テレビ受信制御部５７により輝度調節部７５を制御して行っても良いし、また、使用者が判断しても良い。ステップＳ１３で輝度調整が不要と判断された場合はそのままの輝度で、またはステップＳ１４で輝度を調整した場合は調整された輝度で、テレビ視聴が開始される（Ｓ１５）。
【００４３】
以上説明したように、本実施の形態の携帯電話機１００は、テレビ放送信号を受信するテレビ受信部５０と、テレビ放送信号の電界強度を検出する電界強度検出部５５と、テレビ受信部５０により受信されたテレビ放送信号に基づいてテレビ放送を表示する表示部７０と、表示部７０により表示されるテレビ放送の輝度を調節する輝度調節部７５と、電界強度検出部５５により検出された電界強度に応じて、輝度調節部７５および表示部７０を制御するテレビ受信制御部５７とを有し、テレビ放送が表示部７０により表示されている際に、電界強度検出部５５により検出された電界強度が所定の閾値を下回ったとき、テレビ受信制御部５７は輝度調節部７５を制御して表示部７０により表示されるテレビ放送の輝度レベルを下げて消費電力を削減することが可能で、移動受信環境下などで外部コンテンツを再生中に受信電界強度や電波の受信品質が劣化した場合であっても、使用者への不要な情報の表示を解消することが可能となり、手間をかけずに消費電力を削減することができる。
【００４４】
なお、本実施の形態において、テレビ受信制御部５７は、電界強度検出部５５にて検出された外部コンテンツの受信強度が所定の閾値を下回っているか否かを判断し、所定の閾値を下回っていると判断した場合、輝度調節部７５を制御して表示部７０の明るさを調整するとして説明したが、本発明はこれに限定されるものではない。例えば、テレビ受信制御部５７は、電界強度検出部５５にて検出された外部コンテンツの受信強度が所定の閾値を下回っていると判断した場合、表示部７０の電源を切る構成にしても良い。これについては後述の実施の形態で説明する。
（第２の実施の形態）
続いて、本発明の第２の実施の形態の携帯端末について説明する。本実施の形態の携帯端末は、図１および図２に示す携帯端末と基本構成を同じくするため、同様の構成については同一の番号を用いて表記し、詳細な説明を省略する。本実施の形態において、テレビ受信制御部５７は、コンテンツが表示部７０により表示されている際に、電界強度検出部５５にて検出された外部コンテンツの受信強度が所定の閾値を下回っているか否かを判断し、所定の閾値を下回っていると判断した場合、使用者に対して輝度レベル変更の予告を行い、変更の予告に対して使用者から輝度レベル変更を了承する指示があった場合に限り、テレビ受信制御部５７は輝度調節部７５を制御して表示部７０の明るさを調整するようになっている。
【００４５】
本実施の形態の携帯電話機の動作を、図４を参照して説明する。図４は本実施の形態の携帯電話機の動作を説明するフロー図である。
【００４６】
最初に、携帯電話機を構成するテレビ受信部５０の電源が使用者の操作によりオンになると、電界強度検出部５５にて電波の状態が検出され（Ｓ２１）、テレビ受信制御部５７により、テレビ視聴が可能か否か、すなわち、テレビの放送信号の強度が所定の閾値を下回っているか否かが判断され（Ｓ２２）、テレビ視聴が可能、すなわち、テレビの放送信号の強度が所定の閾値を下回っていないと判断された場合、輝度調整が必要かを判断し（Ｓ２３）、輝度調整が必要と判断された場合は所定の輝度に調整する（Ｓ２４）。ステップＳ２２でテレビの放送信号の強度が所定の閾値を下回っていると判断された場合、表示部７０の明るさを下げるか否かを使用者に対して報知し（Ｓ２７）、使用者が表示部７０の明るさを下げることに了承した場合、テレビ受信制御部５７は輝度調節部７５を制御して表示部７０の明るさを下げる（Ｓ２６）。また、ステップＳ２７で使用者が表示部７０の明るさを下げることに了承し、ステップＳ２６で、表示部７０の輝度レベルを下げ、視聴不可になった期間も、ステップＳ２１に戻り、電界強度検出部５５にて電波の状態をモニターしているものとする。さらに、輝度調整が必要か否かの判断は、テレビ受信制御部５７により輝度調節部７５を制御して行っても良いし、また、使用者が判断しても良い。ステップＳ２３で輝度調整が不要と判断された場合はそのままの輝度で、ステップＳ２４で輝度を調整した場合は調整された輝度で、またはステップＳ２７で使用者が表示部７０の明るさを下げることを拒否した場合はそのままの輝度で、テレビ視聴が開始される（Ｓ２５）。
【００４７】
ステップＳ２７において、表示部７０の明るさを下げるか否かを使用者に対して報知する際に、表示部７０にメッセージを表示しても良いし、また、表示部７０の明るさを下げることを了承した場合、選択可能な輝度レベルを使用者に示しても良い。報知は、ＬＣＤ表示、音声案内、専用ＬＥＤの点灯等によって行うことができる。また、選択は、ＬＣＤ上のカーソルを移動させて決定ボタンを押す、あるいは操作部３４の特定のスイッチを押す等により行わせることができる。  
【００４８】
図５を参照して一例を示す。ステップＳ２７において、図５（ａ）に示す画面を表示して、表示部７０の明るさを下げるか否かを使用者に報知する。使用者が表示部７０の明るさを下げることを了承した場合、図５（ｂ）に示す画面を表示して使用者に変更する輝度レベルを指定させる。使用者が輝度レベルを指定すると、図５（ｃ）に示すように、指定された輝度レベルでテレビ視聴が開始される。
【００４９】
以上説明したように、本実施の形態の携帯電話機は、テレビ放送が表示部７０により表示されている際に、受信強度が所定の閾値を下回ったとき、テレビ受信制御部５７は、使用者に対して事前に輝度レベル変更の予告を行い、変更の予告に対して使用者から輝度レベル変更を了承する指示があった場合に限り、テレビ受信制御部５７は輝度調節部７５を制御して、表示部７０により表示されるコンテンツの輝度レベルを下げるので、受信電界強度が所定の閾値を下回る際に、突然表示部７０が暗くなることを防止し、使用者に対して、テレビ放送視聴時における不快感、誤操作を防ぐことができる。
【００５０】
なお、本実施の形態において、テレビ受信制御部５７は、電界強度検出部５５にて検出された外部コンテンツの受信強度が所定の閾値を下回っているか否かを判断し、所定の閾値を下回っていると判断した場合、使用者に対して輝度レベル変更の予告を行い、変更の予告に対して使用者から輝度レベル変更を了承する指示があった場合に限り、テレビ受信制御部５７は輝度調節部７５を制御して表示部７０の明るさを調整するとして説明したが、本発明はこれに限定されるものではない。例えば、テレビ受信制御部５７は、電界強度検出部５５にて検出された外部コンテンツの受信強度が所定の閾値を下回っていると判断し、さらに事前の予告に対して使用者から表示部７０の電源を切る旨を了承する指示があった場合に限り、テレビ受信制御部５７は表示部７０の電源を切る構成を有しても良い。これについては後述の実施の形態で説明する。
（第３の実施の形態）
続いて、本発明の第３の実施の形態の携帯端末について説明する。本実施の形態の携帯端末は、図１および図２に示す携帯端末と基本構成を同じくするため、同様の構成については同一の番号を用いて表記し、詳細な説明を省略する。本実施の形態において、テレビ受信制御部５７は、電界強度検出部５５にて検出される外部コンテンツの受信強度が所定の閾値を下回っているか否かを判断し、所定の閾値を下回っていると判断した場合、テレビ受信制御部５７は表示部７０を制御して、電界強度検出部５５にて検出するコンテンツのデータの受信強度が所定の閾値を上回るまで、前記表示部の電源を切るようになっている。
【００５１】
本実施の形態の携帯電話機の動作を、図６を参照して説明する。図６は本実施の形態の携帯電話機の動作を説明するフロー図である。
【００５２】
最初に、携帯電話機を構成するテレビ受信部５０の電源が使用者の操作によりオンになると、電界強度検出部５５にて電波の状態が検出され（Ｓ３１）、テレビ受信制御部５７により、テレビ視聴が可能か否か、すなわち、テレビの放送信号の強度が所定の閾値を下回っているか否かが判断され（Ｓ３２）、テレビ視聴が可能、すなわち、テレビの放送信号の強度が所定の閾値を下回っていないと判断された場合、テレビ視聴検出部５４の検出結果に基づいて表示部７０の電源がオンであるか否かを確認し（Ｓ３３）、表示部７０の電源がすでにオンの状態の場合は、そのままテレビ視聴を開始する（Ｓ３５）。また、表示部７０の電源がオフであった場合は、表示部７０の電源をオンにして（Ｓ３４）テレビ視聴を開始する（Ｓ３５）。これに対して、ステップＳ３２において、テレビ視聴が不可、すなわち、テレビの放送信号の強度が所定の閾値を下回っていると判断された場合、表示部７０の電源をオフにする（ステップＳ３８）。さらにステップＳ３８で、表示部７０の電源がオフとなり、視聴不可になった期間も、ステップＳ３１に戻り、電界強度検出部５５にて電波の状態をモニターする。このため、テレビ視聴が不可と判断されて表示部７０の電源が切られても、放送信号の強度が回復すると、ステップＳ３２において所定の閾値を上回ったと判断され、ステップＳ３３、ステップＳ３４を経て再びオンとなるようになっている。
【００５３】
以上説明したように、本実施の形態の携帯電話機は、テレビ放送が表示部７０により表示されている際に、受信強度が所定の閾値を下回ったとき、テレビ受信制御部５７は表示部７０を制御して表示部７０の電源を切る一方で、受信強度が所定の閾値を上回ると再び表示部７０の電源を入れるので、消費電力を削減することができ、移動受信環境下などで外部コンテンツを再生中に受信電界強度や電波の受信品質が劣化した場合であっても、使用者への不要な情報の表示を解消することが可能となり、手間をかけずに消費電力を削減することができる。
（第４の実施の形態）
続いて、本発明の第４の実施の形態の携帯端末について説明する。本実施の形態の携帯端末は、図１および図２に示す携帯端末と基本構成を同じくするため、同様の構成については同一の番号を用いて表記し、詳細な説明を省略する。本実施の形態において、テレビ受信制御部５７は、コンテンツが表示部７０により表示されている際に、電界強度検出部５５にて検出される受信強度が所定の閾値を下回ったとき、テレビ受信制御部５７は、使用者に対して表示部７０の電源を切る予告を行い、変更の予告に対して使用者から表示部７０の電源を切ることを了承する指示があった場合に限り、電界強度検出部５５にて検出される受信強度が所定の閾値を上回るまで、テレビ受信制御部５７は、表示部７０を制御して、表示部７０の電源を切るようになっている。
【００５４】
本実施の形態の携帯電話機の動作を、図７を参照して説明する。図７は本実施の形態の携帯電話機の動作を説明するフロー図である。
【００５５】
最初に、携帯電話機を構成するテレビ受信部５０の電源が使用者の操作によりオンになると、電界強度検出部５５にて電波の状態が検出され（Ｓ４１）、テレビ受信制御部５７により、テレビ視聴が可能か否か、すなわち、テレビの放送信号の強度が所定の閾値を下回っているか否かが判断され（Ｓ４２）、テレビ視聴が可能、すなわち、テレビの放送信号の強度が所定の閾値を下回っていないと判断された場合、テレビ視聴検出部５４の検出結果に基づいて表示部７０の電源がオンであるか否かを確認し（Ｓ４３）、表示部７０の電源がすでにオンの状態の場合は、そのままテレビ視聴を開始する（Ｓ４５）。また、表示部７０の電源がオフであった場合は、表示部７０の電源をオンにして（Ｓ４４）テレビ視聴を開始する（Ｓ４５）。これに対して、ステップＳ４２において、テレビ視聴が不可、すなわち、テレビの放送信号の強度が所定の閾値を下回っていると判断された場合、表示部７０の電源をオフにするか否かを使用者に対して報知し（ステップＳ４７）、使用者が表示部７０の電源をオフにすることに了承した場合、テレビ受信制御部５７は表示部７０を制御して表示部７０の電源をオフにする（Ｓ４６）。さらにステップＳ４６で、表示部７０の電源がオフとなり、視聴不可になった期間も、ステップＳ４１に戻り、電界強度検出部５５にて電波の状態をモニターする。このため、テレビ視聴が不可と判断されて表示部７０の電源が切られても、放送信号の強度が回復すると、ステップＳ４２において所定の閾値を上回ったと判断され、ステップＳ４３、ステップＳ４４を経て再びオンとなるようになっている。
【００５６】
ステップＳ４７において、表示部７０の電源をオフにするか否かを使用者に対して報知する際に、表示部７０にメッセージを表示しても良い。報知は、ＬＣＤ表示、音声案内、専用ＬＥＤの点灯等によって行うことができる。また、選択は、ＬＣＤ上のカーソルを移動させて決定ボタンを押す、あるいは操作部３４の特定ボタンを押す等により行わせることができる。  
【００５７】
図８を参照して一例を示す。ステップＳ４７において、図８（ａ）に示す画面を表示して、電界強度が劣化したために、表示部７０の電源をオフにするか否かを使用者に報知する。使用者が表示部７０の電源をオフにすることを了承した場合、図８（ｂ）に示すように、表示部７０の電源はオフになる。
【００５８】
以上説明したように、本実施の形態の携帯電話機は、テレビ放送が表示部７０により表示されている際に、受信強度が所定の閾値を下回ったとき、テレビ受信制御部５７は、使用者に対して事前に表示部７０の電源を切る旨の予告を行い、使用者から表示部７０の電源を切ることを了承する指示があった場合に限り、テレビ受信制御部５７は表示部７０を制御して、表示部７０の電源を切るので、受信電界強度が所定の閾値を下回る際に、突然表示部７０が暗くなることを防止し、使用者に対して、テレビ放送視聴時における不快感、誤操作を防ぐことができる。さらに、受信強度が所定の閾値を上回ると再び表示部７０の電源を入れるので、移動受信環境下などで外部コンテンツを再生中に受信電界強度や電波の受信品質が劣化した場合であっても、使用者への不要な情報の表示を解消するとともに、手間をかけずに消費電力を削減することができる。
（第５の実施の形態）
続いて、本発明の第５の実施の形態の携帯端末について説明する。本実施の形態の携帯端末は、第１および第３の実施の形態の携帯端末と基本構成および動作を同じくするため、同様の構成については同一の番号を用いて表記し、詳細な説明を省略する。本実施の形態において、テレビ受信制御部５７は、コンテンツが表示部７０により表示されている際に、電界強度検出部５５にて検出される受信強度が所定の閾値を下回ったとき、テレビ受信制御部５７は、表示部７０を制御して、表示部７０が表示する画面をコンテンツを表示するコンテンツ画面と受信状態を表示する情報画面とに分割し、輝度調節部７５を制御して、表示部７０により表示されるコンテンツ画面の輝度レベルを下げる、または表示部７０の電源を切り、消費電力を削減するようになっている。
【００５９】
図９および図１０は、本実施の形態の携帯端末の表示部７０の表示方法を説明する図である。
【００６０】
本表示方法を第１の実施の形態の携帯端末に適用した場合について図９を参照して説明する。通常の視聴可能時において、表示部７０は図９（ａ）に示す画面を表示する。一方で、テレビの放送信号の強度が所定の閾値を下回っていると判断され、テレビ受信制御部５７は輝度調節部７５を制御して表示部７０の明るさを下げる際、テレビ受信制御部５７は、同時に表示部７０を制御して、表示部７０が表示する画面をコンテンツを表示するコンテンツ画面と受信状態を表示する情報画面とに分割し、任意個所に例えば図９（ｂ）に示すようなテレビ視聴可能であるマークＭを表示し、使用者ヘの通知を行う。電界強度検出部５５にてテレビ視聴が不可能な状態であれば、図９（ｃ）のようにテレビ視聴可能マークＭが消え、輝度調節部７５により表示部７０の明るさは調節される。
【００６１】
本表示方法を第３の実施の形態の携帯端末に適用した場合について図１０を参照して説明する。通常の視聴可能時において、表示部７０は図１０（ａ）に示す画面を表示する。一方で、テレビの放送信号の強度が所定の閾値を下回っていると判断され、テレビ受信制御部５７は輝度調節部７５を制御して表示部７０の電源をオフにする際、テレビ受信制御部５７は、同時に表示部７０を制御して、表示部７０が表示する画面をコンテンツを表示するコンテンツ画面と受信状態を表示する情報画面とに分割し、任意個所に例えば図１０（ｂ）に示すようなテレビ視聴可能であるマークＭを表示し、使用者ヘの通知を行う。電界強度検出部５５にてテレビ視聴が不可能な状態であれば、図１０（ｃ）のようにテレビ視聴可能マークＭが消え、表示部７０の電源はオフになる。
【００６２】
以上説明したように、本実施の形態の携帯電話機は、テレビ放送が表示部７０により表示されている際に、受信強度が所定の閾値を下回ったとき、テレビ受信制御部５７は、表示部７０を制御して、表示部７０が表示する画面をコンテンツを表示するコンテンツ画面と受信状態を表示する情報画面とに分割し、輝度調節部７５を制御して、表示部７０により表示されるコンテンツ画面の輝度レベルを下げる、または表示部７０の電源を切る、または消費電力を削減するようになっているので、消費電力を削減することができ、移動受信環境下などで外部コンテンツを再生中に受信電界強度や電波の受信品質が劣化した場合であっても、使用者への不要な情報の表示を解消することが可能となり、手間をかけずに消費電力を削減することができる。
【００６３】
なお、本表示方法について、第１の実施の形態および第３の実施の形態の形態端末に適用した例について説明したが、本発明は、第２および第４の実施の形態の携帯端末にも適用可能であることは明かである。この場合、例えば、マークＭを輝度レベル変更または電源を切る予告とし、使用者からの了承する指示があった場合に限り輝度レベルの変更または電源を切る構成とすることができる。
（第６の実施の形態）
続いて、本発明の第６の実施の形態の携帯端末について説明する。本実施の形態の携帯端末は、第１の実施の形態の携帯端末と基本構成を同じくするため、同様の構成については同一の番号を用いて表記し、詳細な説明を省略する。本実施の形態において、テレビ受信制御部５７は、受信強度が劣化したために表示部７０の輝度レベルが下げられて視聴不可の状態になっている間にも、電界強度検出部５５にて検出された外部コンテンツの受信強度が所定の閾値を上回っているか否かを判断し、所定の閾値を上回っていると判断した場合、輝度調節部７５を制御して表示部７０の明るさを調整して再び外部コンテンツを視聴可能にするようになっている。
【００６４】
次に、上記の構成を有する本実施の形態の形態端末の動作を、図１１を参照して説明する。図１１は本実施の形態の携帯電話機の動作を説明するフロー図である。ただし、表示部７０は輝度レベルを下げられ、視聴不可の状態とする。
【００６５】
電界強度検出部５５にて、電波の状態をモニターし（Ｓ５１）、テレビ視聴が可能か否か、すなわち、テレビの放送信号の強度が所定の閾値を下回っているか否かが判断される（Ｓ５２）。視聴不可と判断された場合、ステップＳ５１に戻り、電界強度検出部５５にて電波の状態のモニターは続けられる。一方で、視聴が可能、すなわち、テレビの放送信号の強度が所定の閾値を下回っているか否かが判断された場合、テレビ受信制御部５７は輝度調節部７５を制御して、使用者が視聴可能な明るさまで表示部７０の輝度レベルを変更する。
【００６６】
以上説明したように、本実施の形態の携帯電話機において、テレビ受信制御部５７は、受信強度が劣化したために表示部７０の輝度レベルが下げられて視聴不可の状態になっている間にも、電界強度検出部５５にて検出された外部コンテンツの受信強度が所定の閾値を上回っているか否かを判断し、所定の閾値を上回っていると判断した場合、輝度調節部７５を制御して表示部７０の明るさを調整して再び外部コンテンツを視聴可能にするようになっているので、受信強度が劣化したために表示部７０の輝度レベルが下げられて視聴不可の状態になった後も、電波の受信品質の劣化が回復すると、手間をかけずに表示部７０の輝度を戻して外部コンテンツの視聴を継続することができ、テレビ放送視聴時における不快感、誤操作を防ぐことができる。
（第７の実施の形態）
続いて、本発明の第７の実施の形態の携帯端末について説明する。本実施の形態の携帯端末は、第３の実施の形態の携帯端末と基本構成および動作を同じくするため、同様の構成については同一の番号を用いて表記し、詳細な説明を省略する。本実施の形態において、テレビ受信制御部５７は、受信強度が劣化したために表示部７０の電源がオフにされて視聴不可の状態になっている間にも、電界強度検出部５５にて検出された外部コンテンツの受信強度が所定の閾値を上回っているか否かを判断し、所定の閾値を上回っていると判断した場合、表示部７０を制御して表示部７０の電源をオンにして再び外部コンテンツを視聴可能にするようになっている。
【００６７】
次に、上記の構成を有する本実施の形態の形態端末の動作を、図１２を参照して説明する。図１２は本実施の形態の携帯電話機の動作を説明するフロー図である。ただし、表示部７０は電源を切られ、視聴不可の状態とする。
【００６８】
電界強度検出部５５にて、電波の状態をモニターし（Ｓ６１）、テレビ視聴が可能か否かを判断する（Ｓ６２）。視聴不可の場合、テレビ受信制御部５７より表示部７０はそのままとなり、視聴が可能な場合、表示部の電源をオンにする（Ｓ６３）。視聴不可と判断された場合、ステップＳ６１に戻り、電界強度検出部５５にて電波の状態のモニターは続けられる。一方で、視聴が可能、すなわち、テレビの放送信号の強度が所定の閾値を下回っているか否かが判断された場合、表示部７０を制御して、表示部７０の電源をオンにして再び外部コンテンツを視聴可能にするようになっている。
【００６９】
以上説明したように、本実施の形態の携帯電話機において、テレビ受信制御部５７は、受信強度が劣化したために表示部７０の電源がオフにされて視聴不可の状態になっている間にも、電界強度検出部５５にて検出された外部コンテンツの受信強度が所定の閾値を上回っているか否かを判断し、所定の閾値を上回っていると判断した場合、表示部７０を制御して表示部７０の電源をオンにして再び外部コンテンツを視聴可能にするようになっているので、受信強度が劣化したために表示部７０の電源が切られて視聴不可の状態になった後も、電波の受信品質の劣化が回復すると、手間をかけずに表示部７０の輝度を戻して外部コンテンツの視聴を継続することができ、テレビ放送視聴時における不快感、誤操作を防ぐことができる。
（第８の実施の形態）
続いて、本発明の第８の実施の形態の携帯端末について説明する。本実施の形態の携帯端末は、第１の実施の形態の携帯端末と基本構成を同じくするため、同様の構成については同一の番号を用いて表記し、詳細な説明を省略する。本実施の形態において、テレビ受信制御部５７は、外部コンテンツが表示部７０により表示されている際に、電界強度検出部５５にて検出される受信強度が所定の閾値を下回ったとき、テレビ受信制御部５７は、輝度調節部７５を制御して、表示部７０により表示されるコンテンツの輝度レベルを所定の時間間隔をおいて下げて消費電力を削減するようになっている。
【００７０】
本実施の形態の携帯電話機の動作を、図１３を参照して説明する。図１３は本実施の形態の携帯電話機の動作を説明するフロー図である。
【００７１】
最初に、携帯電話機を構成するテレビ受信部５０の電源が使用者の操作によりオンになると、電界強度検出部５５にて電波の状態が検出され（Ｓ７１）テレビ受信制御部５７により、テレビ視聴が可能か否か、すなわち、テレビの放送信号の強度が所定の閾値を下回っているか否かが判断され（Ｓ７２）、テレビ視聴が可能、すなわち、テレビの放送信号の強度が所定の閾値を下回っていないと判断された場合、輝度調整が必要かを判断し（Ｓ７３）、輝度調整が必要と判断された場合は所定の輝度に調整する（Ｓ７４）。ステップＳ７２でテレビの放送信号の強度が所定の閾値を下回っていると判断された場合、タイマー部５６にて設定した時間間隔の間、表示部７０を点灯させ（Ｓ７７）、その後、テレビ受信制御部５７は輝度調節部７５を制御して表示部７０の明るさを下げる（Ｓ７６）。また、ステップＳ７２でテレビの放送信号の強度が所定の閾値を下回っていると判断され、ステップＳ７６で、表示部７０の輝度レベルを下げ、視聴不可になった期間も、ステップＳ７１に戻り、電界強度検出部５５にて電波の状態をモニターしているものとする。さらに、輝度調整が必要か否かの判断は、テレビ受信制御部５７により輝度調節部７５を制御して行っても良いし、また、使用者が判断しても良い。ステップＳ７３で輝度調整が不要と判断された場合はそのままの輝度で、またはステップＳ７４で輝度を調整した場合は調整された輝度で、テレビ視聴が開始される（Ｓ７５）。
【００７２】
ステップＳ７７において、表示部７０が点灯する時間間隔はタイマー部５６に予め設定されていても良いし、またはタイマー部５６を操作して設定可能であっても良い。
【００７３】
以上説明したように、本実施の形態の携帯電話機において、テレビ受信制御部５７は、外部コンテンツが表示部７０により表示されている際に、電界強度検出部５５にて検出される受信強度が所定の閾値を下回ったとき、テレビ受信制御部５７は、輝度調節部７５を制御して、表示部７０により表示されるコンテンツの輝度レベルを所定の時間間隔をおいて下げて消費電力を削減するようになっているので、受信電界強度が所定の閾値を下回る際に、突然表示部７０が突然暗くなることを防止し、使用者に対して、テレビ放送視聴時における不快感、誤操作を防ぐことができる。
（第９の実施の形態）
続いて、本発明の第９の実施の形態の携帯端末について説明する。本実施の形態の携帯端末は、第１の実施の形態の携帯端末と基本構成を同じくするため、同様の構成については同一の番号を用いて表記し、詳細な説明を省略する。本実施の形態において、テレビ受信制御部５７は、外部コンテンツが表示部７０により表示されている際に、電界強度検出部５５にて検出される受信強度が所定の閾値を下回ったとき、テレビ受信制御部５７は、表示部７０を制御して、表示部７０の電源を時間間隔をおいて切って消費電力を削減するようになっている。
【００７４】
本実施の形態の携帯電話機の動作を、図１４を参照して説明する。図１４は本実施の形態の携帯電話機の動作を説明するフロー図である。
【００７５】
最初に、携帯電話機を構成するテレビ受信部５０の電源が使用者の操作によりオンになると、電界強度検出部５５にて電波の状態が検出され（Ｓ８１）テレビ受信制御部５７により、テレビ視聴が可能か否か、すなわち、テレビの放送信号の強度が所定の閾値を下回っているか否かが判断され（Ｓ８２）、テレビ視聴が可能、すなわち、テレビの放送信号の強度が所定の閾値を下回っていないと判断された場合、テレビ視聴検出部５４の検出結果に基づいて表示部７０の電源がオンであるか否かを確認し（Ｓ８３）、表示部７０の電源がすでにオンの状態の場合は、そのままテレビ視聴を開始する（Ｓ８５）。また、表示部７０の電源がオフであった場合は、表示部７０の電源をオンにして（Ｓ８４）テレビ視聴を開始する（Ｓ８５）。これに対して、ステップＳ８２において、テレビ視聴が不可、すなわち、テレビの放送信号の強度が所定の閾値を下回っていると判断された場合、タイマー部５６にて設定した時間間隔の間、表示部７０を点灯させ（Ｓ８７）、その後、テレビ受信制御部５７は表示部７０を制御して表示部７０の電源を切る（Ｓ８６）。さらにステップＳ８８で、表示部７０の電源がオフとなり、視聴不可になった期間も、ステップＳ８１に戻り、電界強度検出部５５にて電波の状態をモニターする。このため、テレビ視聴が不可と判断されて表示部７０の電源が切られても、放送信号の強度が回復すると、ステップＳ８２において所定の閾値を上回ったと判断され、ステップＳ８３、ステップＳ８４を経て再びオンとなるようになっている。ステップＳ８７において、表示部７０が点灯する時間間隔はタイマー部５６に予め設定されていても良いし、またはタイマー部５６を操作して設定可能であっても良い。
【００７６】
以上説明したように、本実施の形態の携帯電話機において、テレビ受信制御部５７は、外部コンテンツが表示部７０により表示されている際に、電界強度検出部５５にて検出される受信強度が所定の閾値を下回ったとき、テレビ受信制御部５７は、表示部７０を制御して、表示部７０の電源を所定の時間間隔をおいて切り、消費電力を削減するようになっているので、受信電界強度が所定の閾値を下回る際に、突然表示部７０が突然暗くなることを防止し、使用者に対して、テレビ放送視聴時における不快感、誤操作を防ぐことができる。
【産業上の利用可能性】
【００７７】
以上のように、本発明の携帯端末は、外部コンテンツを再生中、受信電界強度や電波の受信品質が劣化した場合であっても、使用者への不要な情報の表示を解消し、手間をかけずに消費電力を削減できるという効果を有し、電波の不感エリアでの省電力を可能とする移動体端末として有効である。
【図面の簡単な説明】
【００７８】
【図１】本発明の第１の実施の形態の携帯端末の外観を示す斜視図
【図２】本発明の第１の実施の形態の携帯端末の概略構成を示すブロック図
【図３】本発明の第１の実施の形態の携帯端末の動作を説明するフロー図
【図４】本発明の第２の実施の形態の携帯端末の動作を説明するフロー図
【図５】本発明の第２の実施の形態の携帯端末の表示部の輝度レベル選択方法を示した説明図
【図６】本発明の第３の実施の形態の携帯端末の動作を示すフロー図
【図７】本発明の第４の実施の形態の携帯端末の動作を示すフロー図
【図８】本発明の第４の実施の形態の携帯端末を構成する表示部に表示される電源オン、オフを選択する画面の説明図
【図９】本発明の第５の実施の形態の携帯端末を構成する表示部に表示される画面を複数分割し輝度レベルを変更する画面の説明図
【図１０】本発明の第５の実施の形態の携帯端末を構成する表示部に表示される画面を複数分割し電源のオン、オフを変更する画面の説明図
【図１１】本発明の第６の実施の形態の携帯端末の動作を説明するフロー図
【図１２】本発明の第７の実施の形態の携帯端末の動作を説明するフロー図
【図１３】本発明の第８の実施の形態の携帯端末の動作を説明するフロー図
【図１４】本発明の第９の実施の形態の携帯端末の動作を説明するフロー図
【符号の説明】
【００７９】
２０  筐体部
２１  上部筐体
２２  下部筐体
２３  ヒンジ部
２３ａ  ヒンジ
２３ｂ  ヒンジ
３０  表示装置（表示部）
３１  受話部
３４  操作部
３５  送話部
４０  放送受信装置
５０  テレビ受信部
６０  携帯電話部
５１  受信アンテナ
５２  チューナー部（受信部）
５３  チューナー電源検出部
５４  テレビ視聴検出部
５５  電界強度検出部
５６  タイマー部
５７  テレビ受信制御部
６１  携帯用アンテナ
６２  無線伝送部
６３  携帯用制御部
７０  表示部
７５  輝度調節部
１００  携帯電話機（携帯端末）
【図１】
2007281879.tif 000003
【図２】
2007281879.tif 000004
【図３】
2007281879.tif 000005
【図４】
2007281879.tif 000006
【図５】
2007281879.tif 000007
【図６】
2007281879.tif 000008
【図７】
2007281879.tif 000009
【図８】
2007281879.tif 000010
【図９】
2007281879.tif 000011
【図１０】
2007281879.tif 000012
【図１１】
2007281879.tif 000013
【図１２】
2007281879.tif 000014
【図１３】
2007281879.tif 000015
【図１４】
2007281879.tif 000016